(57)【要約】      （修正有）【課題】篩分けする所定の粒径に応じ、回動部材と篩モジュールに収容された篩との間隔を垂直方向に調整して位置決めすることができる振動篩装置を提供する。【解決手段】振動篩機１、回動装置２および調整機構３から構成される。振動篩機１は、ベース１１に配置され、振動ユニット１２および篩モジュール１３を備える。ベース１１の一方の側部に配置される支柱１４には、回動装置２が配置され、駆動部２１と回動部材２２との間には、調整機構３が配置される。接合体の中空の貫設孔に、主軸２１１と軸ロッドとが位置決めされ、位置決め部材が接合体の外側辺上の調整部に挿入されることにより、篩分けする所定の粒径に応じ、回動部材２の回動板２２と、篩モジュール１３に収容された篩との間隔を、垂直方向に簡単に調整して位置決めすることができる。また、振動篩装置を洗浄するとき、振動篩装置の分解および組立を簡単に行うことができる。【選択図】図２
0003157275.tif 000002
【実用新案登録請求の範囲】
【請求項１】
振動篩機、回動装置および調整機構から構成される振動篩装置であって、
前記振動篩機は、ベースを備え、該ベース上には、振動ユニットと、前記振動ユニットの上方に位置決めされる篩モジュールと、が配置され、前記篩モジュールは、ホッパーを備え、前記ホッパーの内部には、少なくとも１層以上の篩が収容され、前記篩モジュールの上方には、支柱が配置され、
前記回動装置は、前記支柱の端部上に配置され、駆動部を備え、該駆動部の回動する主軸の下方には、前記調整機構を介して回動部材が接続され、該回動部材には篩分けする所定の粒径に応じて前記篩との間に間隔を形成して、少なくとも1つ以上の篩分けする材料を攪拌する回動板が外方に延伸して形成され、
前記調整機構は、前記駆動部と前記回動部材との間に配置されて、前記主軸および前記回動部材の回転軸となる軸ロッドが挿入される貫設孔が形成された中空の接合体を備えると共に、該接合体には前記回動部材を垂直方向に調整して位置決めする調整部が設けられたことを特徴とする振動篩装置。
【請求項２】
前記振動篩機のベースは、ケーシングおよび搭載ベースから構成され、前記ケーシング上の振動ユニットは、振動を発生させるモータを備え、該モータの上方には、
篩を備えた篩モジュールを載置する位置決めフレームと、該ケーシングと該位置決めフレームとの間に位置決めされる複数の弾性部材と、が接合され、前記支柱は、該ベースの搭載ベースまたはケーシングに一体に接続されると共にその接続部分には、該支柱を水平面で旋回可能とする枢着部が配置されたことを特徴とする請求項１記載の振動篩装置。
【請求項３】
前記回動装置の回動部材には前記軸ロッドと結合する接合孔を備えた突合部が設けられて前記接合孔には前記接合体の貫設孔に挿入される軸ロッドが螺合固定され、
前記接合体の貫設孔の上下の開口部分には、前記駆動部材の主軸と該突合部に結合された軸ロッドと、がそれぞれ挿入され、該接合体の貫設孔に貫通する２つの貫通孔が設けられて、位置決め部材が前記貫通孔内に挿入され、前記主軸上と前記軸ロッド上とに当接されることにより、前記回動部材が垂直方向に調整され、位置決めされることを特徴とする請求項１記載の振動篩装置。
【考案の詳細な説明】
【技術分野】
【０００１】
本考案は、振動篩装置に関し、特に、回動装置の駆動部の主軸と、回動部材と、の間に調整機構が配置されることにより、篩分けする所定の粒径に応じ、回動部材と、篩モジュールに収容された篩と、の間隔を垂直方向に調整して位置決めすることができる振動篩装置に関する。
【背景技術】
【０００２】
一般に、振動篩装置は、主に、伝動装置が中心軸を駆動して回動部材を回動させ、回動部が篩網上の被処理物を押圧することにより、篩分けする。従来の振動篩装置は、回動部材を交換したり、振動篩装置を洗浄したりするために、回動部材の分解および組立を行う必要がある場合、回動部材の高さを垂直方向に調整することができないため、使用上、極めて不便であった。また、油圧方式により、伝動装置に対する中心軸の高さを垂直方向に調整できるものもあるが、油圧方式の場合、コストが高いという欠点を有する。
【先行技術文献】
【特許文献】
【０００３】
【特許文献１】特開２００５−３２４１７０号公報
【考案の概要】
【考案が解決しようとする課題】
【０００４】
本考案の目的は、回動装置の駆動部の主軸と、回動部材と、の間に調整機構が配置された振動篩装置を提供することにある。
【課題を解決するための手段】
【０００５】
上述の課題を解決するために、請求項１の考案は、振動篩機、回動装置および調整機構から構成され、振動篩機は、ベースを含み、ベース上には、振動ユニットと、振動ユニットの上方に位置決めされる篩モジュールと、が配置され、篩モジュールは、ホッパーを含み、ホッパーの内部には、少なくとも１層以上の篩が収容され、篩モジュールの上方には、支柱が配置され、
回動装置は、支柱の端部上に配置され、駆動部を含み、駆動部に含まれる主軸の下方には、回動部材が接続され、回動部材に含まれる突合部の外側周辺部分には、所定の粒径に応じ、篩との間に間隔が形成される少なくとも1つ以上の回動板が外部に延伸され、
調整機構は、駆動部と回動部材との間に配置され、接合体を有し、接合体の中空の内部には、主軸および軸ロッドが挿入される貫設孔が形成され、接合体の外側辺上には、回動部材を垂直方向に調整して位置決めする少なくとも1つ以上の調整部が配置されることを特徴とする振動篩装置である。
【０００６】
請求項２の考案は、振動篩機に含まれるベースは、ケーシングおよび搭載ベースから構成され、ケーシング上の振動ユニットは、振動を発生させるモータを含み、モータの上方には、位置決めフレームと、ケーシングと位置決めフレームとの間に位置決めされる複数の弾性部材と、が接合され、支柱は、ベースに含まれる搭載ベースまたはケーシングに一体に接続され、支柱の底側とベースとの接続部分には、枢着部が配置されることを特徴とする請求項１記載の振動篩装置である。
【０００７】
請求項３の考案は、回動装置に含まれる回動部材の突合部上には、接合孔が設けられ、接合孔内には、接合体に含まれる貫設孔に挿入される軸ロッドが螺合固定され、接合体の外側辺上には、貫通孔を含む２つの調整部が設けられ、接合体上の貫設孔の上下の開口部分には、主軸と、突合部に接合される軸ロッドと、がそれぞれ挿入され、位置決め部材が貫通孔内に挿入され、主軸上と軸ロッド上とに当接されることにより、回動部材が垂直方向に調整され、位置決めされることを特徴とする請求項１記載の振動篩装置である。
【考案の効果】
【０００８】
本考案の振動篩装置は、簡単に組立および分解を行うことができる調整機構が配置されることにより、回動部材を交換する必要があるとき、回動部材を消耗部材として容易に交換することができる。さらに、ユーザの必要に基づき、回動部材上の回動板を垂直方向に調整して位置決めすることにより、回動部材上の回動板と、篩モジュールに収容された篩と、を当接させたり、篩分けする所定の粒径に応じ、回動部材上の回動板と、篩モジュールに収容された篩と、の間隔を垂直方向に調整して位置決めすることができる。さらに、振動篩装置を分解して洗浄する場合、回動部材の高さを簡単に調整できることにより、振動篩装置の分解および組立を簡単に行うことができる。
【図面の簡単な説明】
【０００９】
【図１】本考案の一実施形態による振動篩装置を示す斜視図である。
【図２】本考案の一実施形態による振動篩装置を示す分解斜視図である。
【図３】本考案の一実施形態による振動ユニットおよび篩モジュールを示す分解斜視図である。
【図４】本考案の一実施形態による調整機構および回動部材を示す分解斜視図である。
【図５】本考案の一実施形態による振動篩装置を使用するときの状態を示す斜視図である。
【図６】本考案の一実施形態による調整機構を調整した後の状態を示す斜視図である。
【考案を実施するための形態】
【００１０】
図１〜図４を参照する。図１〜図４に示すように、本考案の振動篩装置は、振動篩機１、回動装置２および調整機構３から構成される。
【００１１】
振動篩装置１は、ベース１１を含む。ベース１１上には、振動ユニット１２と、振動ユニット１２の上方に位置決めされる篩モジュール１３と、が配置される。さらに、篩モジュール１３の上方には、ベース１１に接続される逆Ｌ字形の支柱１４が垂直に配置される。ベース１１は、ケーシング１０１および搭載ベース１０２から構成される。ケーシング１０１上に配置される振動ユニット１２は、モータ１２１を含む。モータ１２１の上方には、位置決めフレーム１２２と、ケーシング１０１と位置決めフレーム１２２との間に位置決めされる複数の弾性部材１２３と、が接合される。モータ１２１の回転軸の上下両側には、錘部材１２１１が互いに反対方向に配置される。錘部材１２１１により、振動ユニット１２が運転するとき、上下、左右および傾斜の振動が発生する。また、位置決めフレーム１２２の上方には、振動ユニット１２の外側を被覆するカバー体１２２１が位置決めされる。また、篩モジュール１３は、ホッパー１３１と、ホッパー１３１の内部に収容される少なくとも１層以上の篩１３２と、を含む。ホッパー１３１の収容槽は、円形、矩形または他の幾何学形状とすることができる。円形である場合、ホッパー１３１の直径は、６１０ｍｍ以内が好ましい。また、ホッパー１３１の外側辺には、篩分けされた後の被処理物が排出される排出口１３１１が配置される。また、ホッパー１３１の上方の開口の外側周辺には、篩１３２を係合位置決めする複数の係合部材１３１２が配置される。また、篩１３２は、篩網１３２１と、篩網１３２１の上方に一体または別々に製造される枠１３２２と、を含む。篩網１３２１は、線材を編んだものまたは平板に穿孔したものとすることができる。
【００１２】
回動装置２は、ベース１１の一方の側部に配置される支柱１４の端部上に配置される。回動装置２は、駆動部２１と、回動部材２２と、駆動部２１と支柱１４の端部との間に位置決めされる接合部２３と、から構成される。駆動部２１は、モータを駆動し、連動ロッド、歯車、ベルト、ベルトプーリ、チェーン、チェーンホイールなどを駆動することにより、動力を発生させる。駆動部２１に含まれる主軸２１１の下方には、回動部材２２が接続される。回動部材２２は、突合部２２１を含む。突合部２２１の中央には、軸ロッド２２２の一方の側部に設けられる雄ねじ山２２２１が螺合固定される接合孔２２１１が設けられる。また、突合部２２１の外側の周辺には、少なくとも１つ以上の回動板２２３が外側に延伸する。回動板２２３の底面に配置される回動部２２３１は、ブラシ、刃、多孔板または他の分離機能を有する部材とすることができ、回動方式またはスライド方式により、被処理物の篩分けおよび分級を補助し、これにより、篩分けおよび分級を確実に行うことができる。或いは、大きな粒径の被処理物に対応できるように、回動板２２３が突合部２２１に対し、所定の挟角で、斜めに配置される。これにより、回動板２２３が回動するとき、塊状の被処理物を押圧して破砕し、その後、振動篩機１により、篩分けおよび分級が行われる。接合部２３は、支柱１４の端部と駆動部２１の底面とにそれぞれ位置決めされる第１の接合板２３１および第２の接合板２３２を含む。
また、第１の接合板２３１と第２の接合板２３２との表面上には、ロック部材２３３が貫設され、位置決めするための少なくとも２つ以上のスライド溝２３１１と通孔２３２１とがそれぞれ設けられる。また、接合部２３をスライドレールおよび溝路、または、ボルトおよびナットから構成することにより、回動装置２を支柱１４上において、水平方向に往復移動させることができる。
【００１３】
調整機構３は、回動装置２の駆動部２１と、回動部材２２との間に配置される。調整機構３は、接合体３１を含む。接合体３１の中空の内部には、駆動部２１の主軸２１１と、回動部材２２の軸ロッド２２２と、がそれぞれ上下の開口部分から挿入される貫設孔３２が形成される。接合体３１の外側辺上の開口部分に近い位置には、貫通孔３３１を含む調整部３３が少なくとも２つ以上設けられる。位置決め部材３３２が貫通孔３３１に貫通され、主軸２１１上と軸ロッド２２２上とに当接されることにより、回動部材２２が位置決めされる。
【００１４】
上述の本実施形態による調整機構３に含まれる調整部３３の貫通孔３３１内に、位置決め部材３３２が挿入され、主軸２１１上と軸ロッド２２２上とに当接されることにより、回動部材２２が位置決めされる。しかし、本考案を実際に応用するとき、必要に応じ、他の位置決め方式を採用することができる。例えば、位置決め部材３３２は、ねじ、挿入ピンまたは他のロック機能または位置決め機能を有する部材とすることができる。位置決め部材３３２は、ねじを貫通孔３３１内に螺合するか、或いは、挿入ピンを貫通孔３３１内に挿入する方式で、主軸２１１上と軸ロッド２２２上とに当接されることにより、回動部材２２を垂直方向に調整して位置決めすることができる。即ち、上述の効果を達成することができる実施形態は、全て、本考案に含まれ、簡単な修飾および同等効果である構造の変更は、全て本考案の実用新案登録請求の範囲に含まれる。
【００１５】
本考案を組み立てるとき、先ず、回動装置２を振動篩装置１のベース１１の一方の側部に配置された支柱１４の端部上に配置する。その後、柱１４の端部上の接合部２３の第１の接合板２３１の上に、溶接またはねじを螺合する方式により、駆動部２１の底面に固定した接合板２３２を位置決めする。
次に、ロック部材２３３を第１の接合板２３１のスライド溝２３１１と、第２の接合板２３２の通孔２３２１内と、に挿入して位置決めすることにより、第２の接合板２３２を第１の接合板２３１の上方において、スライド移動させ、回動装置２を水平方向に往復移動させ、位置を調整する。
次に、調整機構３の接合体３１の貫設孔３２の上下の開口に、駆動部２１の主軸２１１と、回動部材２２の軸ロッド２２２と、を挿入し、位置決め部材３３２を調整部３３に穿孔された貫通孔３３１内に挿入し、主軸２１１上と軸ロッド上とに緊密に当接することにより、固定する。また、位置決め部材３３２を回動させ、適当に緩めることにより、回動部材２２を垂直方向に調整して位置決めすることができる。以上の工程により、本考案の組立が完了する。
【００１６】
図５および図６を参照する。図５および図６に示すように、振動篩機１のベース１１と支柱１４との接続部分には、枢着部１４１が配置される。枢着部１４１は、ラチェット機構、回転軸装置などとすることができ、ユーザが支柱１４を回動させたとき、枢着部１４１を支点とし、所定の角度、左右に回動させることができればよい。使用するとき、先ず、回動装置２上の接合部２３を水平方向に往復移動させ、駆動部２１の主軸２１１を振動篩機１上の円形のホッパー１３１の中心と重ね合わせる。次に、調整機構３により、回動部材２２を垂直方向に調整して位置決めする。これと同時に、回動部材２２上の回動板２２３と、篩モジュール１３に収容された篩１３２と、を当接させるか、或いは、篩分けする所定の粒径に応じ、回動部材２２上の回動板２２３と、篩モジュール１３に収容された篩１３２と、の間に間隔を空ける。これにより、回動装置２が被処理物を下方に押圧し、連続して攪拌すると同時に、振動篩機１の振動ユニット１２が上下、左右および傾斜の振動を発生させ、被処理物が篩網１３２１により、篩分けおよび分級された後、排出口１３１１から排出される。以上のことから分かるように、本考案は、構造が簡単であり、低コストであり、組立および分解に便利である。
【００１７】
本考案の好適な実施形態において、振動篩機１のベース１１の一方の側部には、逆Ｌ字形の支柱１４が垂直に配置される。支柱１４の底部の枢着部１４１は、ベース１１の搭載ベース１０２に接続される（図２を参照）。しかし、本考案の実施に際しては、これらの態様に限定されない。例えば、支柱１４は、ベース１１に含まれるケーシング１０１、ケーシング１０１の下方のフレーム状の搭載ベース１０２または他の機械の補助設備上に位置決めしてもよい。また、枢着部１４１も支柱１４上の任意の位置に配置してもよい。即ち、支柱１４と回動装置２とを安定的に結合し、振動篩機１または外力の影響を受けて変移したり、揺動したりすることがなく、枢着部１４１を利用することにより、支柱１４の方向および角度を回動調整できればよい。このほか、複数の弾性部材１２３は、振動篩機１の違い（例えば、標準的な単層構造モデル、複数層構造モデルまたは小型モデルなど）に応じ、ケーシング１０１の内部または外部に位置決めされ、弾性部材１２３の両側がモータ１２１とケーシング１０１とにそれぞれ当接され、位置決めされ、弾性変形し、変移する態様であればよい。また、調整機構３は、回動装置２に含まれる駆動部２１と、回動部材２２と、に簡単に組立および分解を行うことができる。これにより、回動部材２２が破損しても、消耗材として簡単に交換することができる。また、必要に応じ、調整機構３を調整することにより、回動部材２２上の回動板２２３と、篩モジュール１３に収容された篩１３２と、を当接させたり、篩分けする所定の粒径に応じ、回動部材２２上の回動板２２３と、篩モジュール１３に収容された篩１３２と、の間隔を垂直方向に調整して位置決めすることができるため、回動部材の調整、および、振動篩装置の組立および分解に便利である。
【符号の説明】
【００１８】
１  振動篩機
１０１  ケーシング
１０２  搭載ベース
１１  ベース
１２  振動ユニット
１２１  モータ
１２１１  錘部材
１２２  位置決めフレーム
１２２１  カバー体
１２３  弾性部材
１３  篩モジュール
１３１  ホッパー
１３１１  排出口
１３１２  係合部材
１３２  篩
１３２１  篩網
１３２２  枠
１４  支柱
１４１  枢着部
２  回動装置
２１  駆動部
２１１  主軸
２２  回動部材
２２１  突合部
２２１１  接合孔
２２２  軸ロッド
２２２１  雄ねじ山
２２３  回動板
２２３１  回動部
２３  接合部
２３１  第１の接合板
２３１１  スライド溝
２３２  第２の接合板
２３２１  通孔
２３３  ロック部材
３  調整機構
３１  接合体
３２  貫設孔
３３  調整部
３３１  貫通孔
３３２  位置決め部材
【図１】
0003157275.tif 000003
【図２】
0003157275.tif 000004
【図３】
0003157275.tif 000005
【図４】
0003157275.tif 000006
【図５】
0003157275.tif 000007
【図６】
0003157275.tif 000008